(57)【要約】      （修正有）【課題】杖を床や地面に落とすことなく使い易いようにするショルダーベルトを提供する。【解決手段】このショルダーベルト１００は、全体が環状に形成されたベルト本体１０と、このベルト本体１０の一部に設けられると共に全体が環状に形成された第一リリース部１と、ベルト本体１０の使用状態で下端となる部分で且つ杖Ｓに装着する装着部３と、ベルト本体１０を重ねて束ねると共にベルト本体１０に沿って移動可能に設けた筒状のスライダー４とから構成される。ショルダーベルト１００のベルト本体１０をたすき掛けし、スライダー４を上げて当該ショルダーベルト１００を体に緩くフィットさせる。このようにして、杖Ｓをショルダーベルト１００に装着しておくことで、杖Ｓを床面や地面に落とすことがなくなり、使い易いものとなる。【選択図】図１
0003230670.tif 000002
【実用新案登録請求の範囲】
【請求項１】
一端に杖に装着する装着部を有するベルト本体と、
当該ベルト本体の一部を分断してその間に外力で外れ得る第一着脱手段を設けた第一リリース部と、
前記ベルト本体の前記装着部に設けられ且つ外力で外れ得る第二着脱手段からなる第二リリース部とを備え、
前記ベルト本体の他端には、前記ベルト本体に沿って移動可能なスライダーが設けられていることを特徴とするショルダーベルト。
【請求項２】
更に、前記分断した一端又は他端にはユーザが摘まむタブがこれを引いた際に前記第一着脱手段に対して外す方向に外力が加わるように設けられることを特徴とする請求項１に記載のショルダーベルト。
【請求項３】
全体が環状に形成され且つ杖に装着する装着部を有するベルト本体と、
当該ベルト本体に沿って移動するスライド部、及び、当該ベルト本体に一端が接続され且つ他端が前記スライド部に接続されると共に使用状態でユーザ正面に設けられ且つ杖の持ち手を通せる大きさの環を形成することで前記杖を係止し得る係止バンドからなり、前記ベルト本体の長さを変えずに前記スライド部とともに前記他端が前記係止バンドに沿ってスライドして前記環を形成せしめる杖の係止部と、
前記ベルト本体を束ねるように保持しつつ当該ベルト本体に沿って移動可能なスライダーと、
前記ベルト本体の前記装着部に設けられ且つ外力で外れ得る着脱手段からなる第二リリース部とを備えたことを特徴とするショルダーベルト。
【考案の詳細な説明】
【技術分野】
【０００１】
本考案は、杖に装着して使いやすいショルダーベルトに関するものである。
【背景技術】
【０００２】
日頃から杖を使用することが多い身体機能が衰えている高齢者等にとって、杖を床や地面に落とすと、これを取り上げることが困難ないし面倒である。係る問題を解決するための有効な技術が提供されていないのが現実である。なお、使用対象が異なるが、傘に対して使用する技術として、特許文献１に開示されている考案が知られている。当該特許文献１に係る考案は、環状に構成した肩掛けベルトの一部を傘の柄に装着すると共に、ベルト全体の長さを調整する機能が設けられた構成である。
【先行技術文献】
【特許文献】
【０００３】
【特許文献１】特開２００３−２３０４１５号公報
【考案の概要】
【考案が解決しようとする課題】
【０００４】
しかしながら、傘を使用するのは必ずしも高齢者等に限らないことから、仮に当該肩掛けベルトを杖に装着するとしても、身体能力が衰えた高齢者等が使いやすいものにはならない。本考案は、杖を床や地面に落とすことなく使い易いように工夫したショルダーベルトを提供するものである。
【課題を解決するための手段】
【０００５】
本考案に係るショルダーベルトは、全体が環状に形成され且つ杖に装着する装着部を有するベルト本体と、ベルト本体の一部を分断してその間に外力で外れ得る着脱手段を設けた第一リリース部と、を備えたことを特徴とする。
【０００６】
前記第一リリース部は、ベルト本体の一部を分断してその一端及び他端に設けたカンの間にリリースベルトを輪のようにして通し、前記着脱手段が前記リリースベルトに設けられた構成とするのが好ましい。
【０００７】
また、本考案に係るショルダーベルトは、全体が環状に形成され且つ杖に装着する装着部を有するベルト本体と、前記ベルト本体に沿って移動するスライド部、及び、本体ベルトに一端が接続され且つ他端が前記スライド部に接続された杖を係止する係止バンドからなる係止部とを備えたことを特徴とする。
【０００８】
上記ショルダーベルトにおいて、更に、前記ベルト本体の前記装着部に設けられ且つ当該装着部が外力で外れ得る着脱手段からなる第二リリース部を設けても良い。更に、前記ベルト本体を束ねるように保持しつつ当該ベルト本体に沿って移動可能なスライダーを設けても良い。
【図面の簡単な説明】
【０００９】
【図１】この考案の実施の形態１に係るショルダーベルトを示す斜視図である。
【図２】図１に示したショルダーベルトの使用状態を示す説明図である。
【図３】図１に示したショルダーベルトの使用状態を示す説明図である。
【図４】図１に示したショルダーベルトの使用状態を示す説明図である。
【図５】この考案の実施の形態２に係るショルダーベルトを示す斜視図である。
【図６】図５に示したショルダーベルトの平面図である。
【図７】図５に示したショルダーベルトの裏面図である。
【図８】図５に示したショルダーベルトの側面図である。
【図９】図５に示したショルダーベルトの使用状態を示す説明図である。
【図１０】この考案の実施の形態３に係るショルダーベルトを示す斜視図である。
【図１１】このショルダーベルトの使用状態を示す説明図である。
【図１２】このショルダーベルトの使用状態を示す説明図である。
【図１３】このショルダーベルトの使用状態を示す説明図である。
【考案を実施するための形態】
【００１０】
（実施の形態１）
図１は、この考案の実施の形態１に係るショルダーベルトを示す斜視図である。このショルダーベルト１００は、全体が環状に形成されたベルト本体１０と、このベルト本体１０の一部に設けられると共に全体が環状に形成された第一リリース部１と、前記ベルト本体１０の使用状態で下端となる部分で且つ杖Ｓに装着する装着部３と、ベルト本体１０を重ねて束ねると共にベルト本体１０に沿って移動可能に設けた筒状のスライダー４とから構成される。
【００１１】
ベルト本体１０は、布、革等の公知の素材により構成される。ベルト本体１０の一部には、全体の環の長さを調整する長さ調整部５が設けられている。この長さ調整部５は、ベルト本体１０が分断され且つその一端に設けたバックル及び他端に設けた複数の穴により構成した所謂尾錠止め構造である。なお、長さが調整可能であれば、尾錠止め構造の他、公知の様々なバックルを備えた構造を採用できる。この長さ調整部５により、様々な体の大きさのユーザに対応できる。
【００１２】
次に、第一リリース部１は、ベルト本体１０の一部を分断してその間に設けられる。分断したベルト本体１０の一端及び他端には、それぞれ円形状のカン５１が設けられる。このカン５１の間を輪でつなぐように、第一リリース部１のリリースベルト５２が通される。一端のカン５１を通るリリースベルト５２の当該カン近傍には、スナップボタン５３が設けられている。このスナップボタン５３を留めることでリリースベルト５２を当該カン５１に位置決めできる。
【００１３】
また、リリースベルト５２が前記一端のカン５１に位置決めされた状態で、第一リリース部１の使用状態における略中間位置より若干上側にリリース用のスナップボタン５４が設けられる。具体的には、リリースベルト５２が分断されており、その一端及び他端に当該スナップボタン５４が設けられる。また、当該リリースベルト５２の一端には、ユーザが摘まむタブ５５が設けられている。タブ５５は、摘まんで引っ張りやすいように、使用状態で下を向くように設ける。タブ５５の大きさは、使用状態で邪魔にならないように適切な長さと大きさにする。タブ５５を、リリースベルト５２やベルト本体１０とは異なる素材で構成しても良い。例えば、摘まんだ際に滑りにくいように、表面にゴムのコーティング等の滑り止め面が設けられたものでも良い。また、前記タブ５５は、リリース用のスナップボタン５４の近傍に設ける。これにより、タブ５５を引いた際にスナップボタン５４に対して外す方向（スナップボタン５４の垂直軸方向）に外力がかかるようになり、少ない力で外すことができる。
【００１４】
また、前記リリースベルト５２の他端に、前記リリース用のスナップボタン５４の雄スナップ又は雌スナップを複数設け、リリースベルト５２の環の大きさを調整できるようにしても良い（図示省略）。また、リリースベルト５２の全体の長さ又は環の大きさは、一般的な杖Ｓの持ち手ＳＨが挿入できる大きさとする。これは、持ち手ＳＨを通してこれを引っ掛けることができようにするためである。また、リリース用のスナップボタン５４の留め強さは、杖Ｓを引っ掛けた状態でも外れないこと、ユーザがタブ５５を引っ張れば外れることの条件を満たす必要がある。なお、着脱手段である前記スナップボタン５４に代えて、当該条件を満たす磁石どうし、又は磁石と金属片との組により構成した着脱手段を採用しても良い（図示省略）。
【００１５】
前記スライダー４は、ベルト本体１０のうち、使用状態で下端近傍となる位置から略中間位置までベルト本体１０に沿って移動可能である。スライダー４は、ベルト本体１０を重ねた状態でこれを束ねており、スライダー４の移動によりベルト本体１０の環の大きさが調整される。このスライダー４は、移動位置で固定される必要があるため、ベルト本体１０に対して一定の摩擦力を有するものとする。スライダー４全体は筒状であり、その大きさ、素材、長さ等により前記摩擦力を設定する。スライダー４を使用状態で下端近傍から略中央付近まで移動した場合における当該スライダー４より下の位置では、前記ベルト本体１０が略１本のようにまとまる。これにより杖Ｓを使用する際の手の動作範囲がすっきりして、ベルト本体１０がむやみに杖Ｓに引っ掛かるのを防止できる。
【００１６】
前記装着部３は、ベルト本体１０の使用状態における下端に設けられる。装着部３には、杖Ｓに接続するためのナスカン６１が設けられている。また、ナスカン６１とベルト本体１０との間には、第二リリース部２が設けられている。第二リリース部２は、ベルト本体１０の端部とナスカン６１を設けたベルト片１０ａとの間に設けられ、安全クリップ（セーフティバックル）により構成される。安全クリップは、ベルト片１０ａ側に丸軸を有する。ベルト本体１０の他端側にはベルト幅方向のスリットを有する断面Ｃ形状のスリーブ部材が設けられる。このスリーブ部材のスリットに前記丸軸を押し込んで回転自在に係止すると共に、図２の拡大部（図中引出円内に表示）に示すように、所定の外力で引っ張ることで外れるようにする。なお、この第二リリース部２は、安全クリップの他、互いの部材を合わせることで留められ且つ所定の外力で前記留めをリリースする公知の着脱構造を採用できる。
【００１７】
図２乃至図４は、図１に示したショルダーベルトの使用状態を示す説明図である。ショルダーベルト１００のベルト本体１０をたすき掛けし、スライダー４を上げて当該ショルダーベルト１００を体に緩くフィットさせる。このとき、長さ調整部５において、ショルダーベルト１００の長さを予め適切な長さにしておく。また、スライダー４により体に緩くフィットさせることで、ショルダーベルト１００が肩からずれ落ちることがなくなる。
【００１８】
そして、ショルダーベルト１００を装着部３のナスカン６１を用いて杖Ｓと接続する。このとき、杖Ｓには予め接続するためのバンドＢや輪等が設けられているものとする。ナスカン６１は、この杖ＳのバンドＢ等に接続する。係る状態で杖Ｓを使用すると、スライダー４によりベルト本体１０が一本にすっきりと纏められているので、ユーザの体から一本の紐で杖Ｓに接続されているようになる。このため、杖Ｓの使用中に絡まり難い。また、杖Ｓをショルダーベルト１００に装着しておくことで、杖Ｓを床面や地面に落とすことがなくなる。
【００１９】
次に、図３に示すように、第一リリース部１の環を広げてこの中に杖Ｓの持ち手ＳＨを通し、当該杖Ｓを引っ掛けて保持することもできる。同図では、杖Ｓをベルト本体１０から外して保持した状態を示す。このようにすれば、杖Ｓを使用しないときに別の場所に置く必要がなく、また簡単に杖Ｓを取ることができる。更に、杖Ｓを床面や地面に落とすおそれがなくなる。また、杖Ｓをショルダーベルト１００に取り付けたい状態でも、前記第一リリース部１に杖Ｓを引っ掛けることができる（図示省略）。
【００２０】
次に、このショルダーベルト１００を緊急に外したい場合やリュック等を担いでいて取りにくい場合、第一リリース部１のタブ５５を指で摘まんで所定の力で引っ張ることにより、スナップボタン５４が外れてリリースベルト５２がカン５１から抜け、ベルト本体１０をそのまま下方に引くことで当該ショルダーベルト１００全体を外すことができる。これにより、緊急時や取りにくい状況でも、簡単かつ素早くショルダーベルト１００を外すことができる。
【００２１】
更に、第二リリース部２は、使用中に杖Ｓが障害物に引っ掛かる等の事態が生じた場合、第二リリース部２で杖Ｓとショルダーベルト１００とが分離される。また、緊急時にこの第二リリース部２を引っ張ることで、杖Ｓをショルダーベルト１００から分離するようにしても良い。特に、第二リリース部２によれば、ベルト本体１０を体に装着したまま杖Ｓを簡単かつ素早く分離でき、且つ、上記第一リリース部１よりも分離後の杖Ｓの接続が楽である。
【００２２】
また、第一リリース部１に代えて別の機能を備えたガジェットを装着できる。図４は、ガジェット３０の具体例を示す説明図である。このガジェット３０は、手帳入れ、財布、ポーチその他の収納ケースであり、本体３１の左右にバンド３２が設けられている。このバンド３２は、面ファスナー等の着脱手段により、ベルト本体１０のカン５１に通して固定できる。このショルダーベルト１００では、カン５１とカン５１との間に所望のガジェット３０を装着できるので、目的に応じて適切なガジェット３０を選択して装着できる。なお、ガジェット３０のバンド３１を第一リリース部１のようにスナップボタンで構成すると共にリリース用のタブを設けることで、上記第一リリース部１と同様のリリース機能を持たせることができる。
【００２３】
以上、このショルダーベルト１００によれば、第一リリース部１によりショルダーベルト１００を体から直ぐに外すことができるので、大変便利である。更に、この第一リリース部１は、杖Ｓを引っ掛けて保持できるので、杖Ｓを地面に置いたりする必要がなく、両手を自由に使える等、高い利便性を有する。また、このショルダーベルト１００では、スライダー４により長さ調整することで使用中に肩からずれ落ちることがないので、安定して使用できる。更に、第二リリース部２によっても緊急に杖を分離できる。また、第二リリース部２は、所定の力により簡単に杖Ｓをショルダーベルト１００から分離できるので、素早い対応が可能となる。
【００２４】
（実施の形態２）
図５は、この考案の実施の形態２に係るショルダーベルトを示す斜視図である。図６は、当該ショルダーベルトの平面図、図７は裏面図、図８は、側面図である。このショルダーベルト２００は、全体が環状になるベルト本体２１０と、このベルト本体２１０の一部に設けられる第一リリース部２０１と、当該ベルト本体２１０の一部に設けられた長さ調整部５と、前記ベルト本体２１０の使用状態で下端となる部分で且つ杖Ｓに装着する装着部３と、ベルト本体２１０に沿って移動可能に設けたカンからなるスライダー２０４とから構成される。
【００２５】
前記長さ調整部５は、日の字形状のカンの中央にベルト本体２１０の端部を固定すると共に当該ベルト本体２１０で輪を形成し且つカンの一方から通し他方を更に通し、輪の大きさを変えることで当該ベルト本体２１０の全長を調整する構成である。この他、長さが調整可能であれば、尾錠止め構造の他、公知の様々なバックルを備えた構造を採用できる。この長さ調整部５により、様々な体の大きさのユーザに対応できる。
【００２６】
前記スライダー２０４は、ベルト本体２１０に沿って移動可能であれば、上記カンの他、実施の形態１のスライダー４と同様、布や革を筒状に形成してベルト本体２１０の輪の部分を束ねてその摩擦力で位置が保持されるようにしても良い（図示省略）。スライダー２０４は、ベルト本体２１０の使用状態における下端近傍から前記日の字形状のカンまでの間を移動可能である。
【００２７】
前記第一リリース部２０１は、ベルト本体２１０の一部を分断してその間に設けられる。分断したベルト本体２１０の一端及び他端には、これらを着脱可能とするスナップボタン２５４が設けられる。また、ベルト本体２１０の一端には、カンを介してユーザが摘まむタブ２５５が設けられている。タブ２５５は、摘まんで引っ張りやすいように、使用状態で下を向くように設ける。タブ２５５の大きさは、使用状態で邪魔にならないように適切な長さと大きさにする。タブ２５５を、ベルト本体２１０とは異なる素材で構成しても良い。例えば、摘まんだ際に滑りにくいように、表面にゴムのコーティング等の滑り止め面が設けられたものでも良い。また、前記タブ２５５は、リリース用のスナップボタン２５４の近傍に設ける。これにより、タブ２５５を引いた際にスナップボタン２５４に対して外す方向（スナップボタン２５４の垂直軸方向）に力がかかるようになり、少ない力で外すことができる。
【００２８】
前記装着部３には、杖に接続するためのナスカン６１が設けられている。また、ナスカン６１とベルト本体１０との間には、第二リリース部２が設けられている。第二リリース部２は、ベルト本体１０の端部とナスカン６１を設けたベルト片２１０ａとの間に設けられ、安全クリップ（セーフティバックル）により構成される。安全クリップは、ベルト片側に丸軸を有する。ベルト本体１０の他端側にベルト幅方向のスリットを有する断面Ｃ形状のスリーブ部材が設けられる。このスリーブ部材のスリットに前記丸軸を押し込んで回転自在に係止すると共に、所定の力で引っ張ることで外れる。なお、この第二リリース部２は、安全クリップの他、互いの部材を合わせることで留められ且つ所定の力で前記留めをリリースする公知の着脱構造を採用できる。
【００２９】
図９は、図５に示したショルダーベルトの使用状態を示す説明図である。同図に示すように、ショルダーベルト２００のベルト本体２１０をたすき掛けし、スライダー２０４を上げて当該ショルダーベルト２００を体に緩くフィットさせる。このとき、長さ調整部５において、ショルダーベルト２００の全体長さを適切な長さにしておく。
【００３０】
そして、杖Ｓに装着部３のナスカン６１を用いて接続する。このとき、杖Ｓには予め接続するためのバンドＢや輪等が設けられているものとする。ナスカン６１は、この杖ＳのバンドＢ等に接続する。このように、杖Ｓをショルダーベルト２００に装着しておくことで、杖Ｓを床面や地面に落とすことがなくなる。
【００３１】
このショルダーベルト２００を緊急に外したい場合やリュック等の使用により取りにくい場合、第一リリース部２０１のタブ２５５を指で摘まんで所定の力で引っ張ることにより、スナップボタン２５４が外れてベルト本体２１０が分断され、当該ショルダーベルト２００が外れる。これにより、緊急時や取りにくい状況でも、簡単かつ素早くショルダーベルト２００を外すことができる。
【００３２】
更に、第二リリース部２は、使用中に杖Ｓが障害物に引っ掛かる等の事態が生じた場合、第二リリース部２で杖Ｓとショルダーベルト２００とが外れる。
【００３３】
以上、このショルダーベルト２００によれば、第一リリース部２０１によりショルダーベルト２００を体から直ぐに外すことができるので、便利である。また、スライダー２０４により長さ調整することで、使用中に肩からずれ落ちることがないので、安定して使用できる。更に、第二リリース部２によっても緊急に杖Ｓを分離できる。また、第二リリース部２は、所定の力により自動的に杖がショルダーベルト２００から分離されるので、素早い対応が可能となる。
【００３４】
（実施の形態３）
図１０は、この考案の実施の形態３に係るショルダーベルトを示す斜視図である。このショルダーベルト３００は、全体が環状に形成されたベルト本体３１０と、前記ベルト本体３１０の使用状態で下端となる部分で且つ杖に装着する装着部３と、ベルト本体３１０を重ねて束ねると共にベルト本体３１０に沿って移動可能に設けた筒状のスライダー４と、ベルト本体３１０の一部であって使用状態でユーザの正面に設けられ且つ環を形成する係止部３０１とから構成される。
【００３５】
ベルト本体３１０は、布、革等の公知の素材により構成される。ベルト本体３１０の一部には、全体の環の長さを調整する長さ調整部５が設けられている。この長さ調整部５は、ベルト本体３１０が分断され且つその一端に設けたバックル及び他端に設けた複数の穴により構成した所謂尾錠止め構造である。なお、長さが調整可能であれば、尾錠止め構造の他、公知の様々なバックルを備えた構造を採用できる。この長さ調整部５により、様々な体の大きさのユーザに対応できる。
【００３６】
前記係止部３０１は、一端がベルト本体３１０に固定され且つ杖を係止するための係止バンド３１１と、係止バンド３１１の他端に設けられると共に当該ベルト本体３１０に通されて当該ベルト本体３１０に沿って移動可能な筒形状のスライド部３１２とから構成される。
【００３７】
前記スライダー４は、ベルト本体３１０のうち、使用状態で下端となる位置から略中間位置までベルト本体３１０に沿って移動可能である。スライダー４は、ベルト本体３１０を重ねた状態で束ねており、スライダー４の移動によりベルト本体３１０の環の大きさが調整される。このスライダー４は、移動位置で固定される必要があるため、ベルト本体３１０を一定の摩擦力をもって束ねる。スライダー４全体は筒状であり、その大きさ、素材、長さ等により前記摩擦力を設定するものとする。スライダー４を使用状態で下端から略中央付近まで移動可能とし、このスライダー４より下の位置では、前記ベルト本体３１０が略１本のようにまとまる。これにより杖Ｓを使用する際の手の動作範囲がすっきりして、ベルト本体３１０にむやみに杖Ｓを引っ掛けることを防止できる。
【００３８】
前記装着部３は、ベルト本体３１０の使用状態での下端に設けられる。装着部３には、杖に接続するためのナスカン６１が設けられている。また、ナスカン６１とベルト本体３１０との間には、第二リリース部２が設けられている。第二リリース部２は、ベルト本体３１０の端部とナスカン６１を設けたベルト片との間に設けられ、安全クリップ（セーフティバックル）により構成される。安全クリップは、ベルト片側に丸軸を有する。ベルト本体３１０の他端側にベルト幅方向のスリットを有する断面Ｃ形状のスリーブ部材が設けられる。このスリーブ部材のスリットに前記丸軸を押し込んで回転自在に係止すると共に、所定の力で引っ張ることで外れる。なお、この第二リリース部２は、安全クリップの他、互いの部材を合わせることで留められ且つ所定の力で前記留めをリリースする公知の着脱構造を採用できる。
【００３９】
図１１は、このショルダーベルトの使用状態を示す説明図である。ショルダーベルト３００のベルト本体３１０をたすき掛けし、スライダー４を上げて当該ショルダーベルト３００を体に緩くフィットさせる。このとき、長さ調整部５において、ショルダーベルト３００の長さを適切な長さにしておく。また、スライダー４により体に緩くフィットさせることで、ショルダーベルト３００が肩からずれ落ちることがなくなる。
【００４０】
そして、杖に装着部３のナスカン６１を用いて接続する。係る状態で杖Ｓを使用すると、スライダー４によりベルト本体３１０が一本にすっきりと纏められているので、ユーザの体から一本の紐で杖Ｓに接続されているようになる。このため、杖Ｓの使用中に絡まり難い。このように、杖Ｓをショルダーベルト３００に装着しておくことで、杖Ｓを床面や地面に落とすことがなくなる。
【００４１】
次に、図１２に示すように、係止部３０１のスライド部３１２を下方にずらして係止部３０１の環を広げ、この中に杖Ｓの持ち手ＳＨを通し、図１３に示すように、当該杖Ｓを保持することもできる。同図では、杖をベルト本体３１０に装着したままで保持した状態を示す。このようにすれば、杖Ｓを使用しないときに別の場所に置く必要がなく、また簡単に杖Ｓを取ることができる。更に、杖Ｓを床面や地面に落とすおそれがなくなる。なお、図示しないが、杖Ｓをショルダーベルト３００から外した状態でも、前記係止部３０１に杖Ｓを引っ掛けることができる。
【００４２】
以上、このショルダーベルト３００によれば、係止部３０１により杖Ｓを引っ掛けて保持できるので、杖Ｓを地面に置いたりする必要がなく、両手を自由に使える等、高い利便性を有する。更に、スライダー４により長さ調整することで、使用中に肩からずれ落ちることがないので、安定して使用できる。更に、第二リリース部２によっても緊急に杖Ｓを分離できる。また、第二リリース部２は、所定の力により自動的に杖Ｓがショルダーベルト３００から分離されるので、素早い対応が可能となる。
【符号の説明】
【００４３】
１００  ショルダーベルト
１０  ベルト本体
１  第一リリース部
２  第二リリース部
３  装着部
４  スライダー
５  長さ調整部
【図１】
0003230670.tif 000003
【図２】
0003230670.tif 000004
【図３】
0003230670.tif 000005
【図４】
0003230670.tif 000006
【図５】
0003230670.tif 000007
【図６】
0003230670.tif 000008
【図７】
0003230670.tif 000009
【図８】
0003230670.tif 000010
【図９】
0003230670.tif 000011
【図１０】
0003230670.tif 000012
【図１１】
0003230670.tif 000013
【図１２】
0003230670.tif 000014
【図１３】
0003230670.tif 000015